(57)【要約】      （修正有）【課題】任意のケーブル長になるようにケーブル類を結束した状態とし、この状態を保持することが可能な結束具を提供する。【解決手段】結束具１０は矩形状の本体部２０と、この本体部２０の一方の辺から平行して同じ方向に延在する一対の腕片部３０Ａ、３０Ｂとから構成されている。結束具１０を使用する際には、一方側である腕片部３０Ａにより、上述の任意のケーブル長になるようにケーブルＫを折り畳んで束ねた状態を形成する。そして、他方側である腕片部３０Ｂにより、収納用の全長に渡るケーブルＫを束ねた状態を形成する。このように結束具１０を用いることで、一方の腕片部３０Ａにより任意のケーブル長になるように束ねた状態を保持し、他方の腕片部３０Ｂによりケーブル全長を束ねて纏めることができる。【選択図】図３
2019077499.tif 000002
【特許請求の範囲】
【請求項１】
矩形状の本体部と、該本体部から延在する一対の帯状の腕片部とから構成され、
前記腕片部の表面には被係止シート部又は係止シート部が設けられており、前記腕片部の裏面先端には前記被係止シート部又は前記係止シート部と係止可能な前記係止シート部又は前記被係止シート部が設けられていることを特徴とする結束具。
【請求項２】
前記一対の腕片部は、前記本体部から平行した同方向に延在されていることを特徴とする請求項１に記載の結束具。
【請求項３】
前記一対の腕片部は、前記本体部から逆方向に延在し、直線上にならないように配置されていることを特徴とする請求項１に記載の結束具。
【請求項４】
前記被係止シート部はループ係合面から成る面ファスナであり、前記係止シート部はフック係合面から成る面ファスナであることを特徴とする請求項１〜３の何れか１項に記載の結束具。
【請求項５】
前記本体部に、前記腕片部の先端部を挿通可能な孔部を設けたことを特徴とする請求項１〜４の何れか１項に記載の結束具。
【請求項６】
一方の前記腕片部の長さは、他方の前記腕片部の長さより長いことを特徴とする請求項１〜５の何れか１項に記載の結束具。
【発明の詳細な説明】
【技術分野】
【０００１】
本発明は、例えば有線マウス等のケーブル類を束ねるために用いられる結束具に関するものである。
【背景技術】
【０００２】
デジタルカメラ用通信ケーブル、イヤホンコード、有線マウス等のケーブル類を束ねるものとして、特許文献１に示すように一方がフック係合面であり、他方がループ係合面である帯状面ファスナが知られている。
【０００３】
この帯状面ファスナを各種ケーブル類に取り付けて、複数回折り返したケーブル類を中央で束ねることで、収納時にケーブル類をコンパクトに纏めることが可能である。
【０００４】
或いは、例えばテレビの接続ケーブルは余分なケーブル長により足が引っ掛かったり、余分なケーブルが邪魔にならないようにするために、設置したテレビとアンテナコネクタまでの距離に合うように、ケーブル長を調整した状態で、この帯状面ファスナを用いて結束することもできる。
【０００５】
同様に有線マウスのケーブルも、設置したノートパソコンとマウスまでの距離に合うように、ケーブル長を調整した状態で、この帯状面ファスナを用いて結束することもある。
【先行技術文献】
【特許文献】
【０００６】
【特許文献１】特開２０１４−１８１０４４号公報
【発明の概要】
【発明が解決しようとする課題】
【０００７】
しかし、上述のように帯状面ファスナによりケーブル長を調整した状態でマウスを使用し、その後にノートパソコンからマウスを取り外し、棚等に収納する場合には、ケーブル長を調整したケーブルの結束を解除し、収納のために全長に渡って折り返したケーブルを帯状面ファスナで結束した状態にした後に、収納することになる。
【０００８】
そして、収納したマウスを再度、使用する際には、収納時の結束を解除し、ノートパソコンとマウスまでの距離に合うように、ケーブル長を再度調整し、帯状面ファスナにより結束する必要が生ずる。
【０００９】
このように、マウスを使う度にケーブル長を調整して、帯状面ファスナを結束する必要があり、煩わしいという問題がある。
【００１０】
本発明の目的は、上述の課題を解決し、任意のケーブル長になるようにケーブル類を結束した状態とし、この状態を保持することが可能な結束具を提供することにある。
【課題を解決するための手段】
【００１１】
上記目的を達成するための本発明に係る結束具は、矩形状の本体部と、該本体部から延在する一対の帯状の腕片部とから構成され、前記腕片部の表面には被係止シート部又は係止シート部が設けられており、前記腕片部の裏面先端には前記被係止シート部又は前記係止シート部と係止可能な前記係止シート部又は前記被係止シート部が設けられていることを特徴とする。
【発明の効果】
【００１２】
本発明に係る結束具によれば、一方の腕片部により任意のケーブル長になるようにケーブル類を束ねた状態を保持し、他方の腕片部によりケーブル類の全長に対して、束ねて纏めることができる。
【００１３】
また、一方の腕片部で第１のケーブルを結束し、他方の腕片部で第１のケーブルと異なる第２のケーブルを結束することも可能である。
【図面の簡単な説明】
【００１４】
【図１】実施例１の結束具の表面から見た斜視図である。
【図２】裏面から見た斜視図である。
【図３】一方の腕片部を孔部へ挿通した際の説明図である。
【図４】一方の腕片部によりケーブルを結束した状態の説明図である。
【図５】両方の腕片部によりケーブルを結束した状態の説明図である。
【図６】実施例２の結束具の表面から見た斜視図である。
【図７】腕片部によるループの説明図である。
【図８】両方の腕片部によりケーブルを結束した状態の説明図である。
【発明を実施するための形態】
【００１５】
本発明を図示の実施例に基づいて詳細に説明する。
【実施例１】
【００１６】
図１は実施例１の結束具１０を表面から見た斜視図であり、図２は裏面から見た斜視図である。結束具１０は矩形状の本体部と、この本体部２０の一方の辺から平行して同じ方向に延在する一対の腕片部３０Ａ、３０Ｂとから構成されている。
【００１７】
結束具１０の大きさは、並んだ状態の腕片部３０Ａ、３０Ｂの長さ、幅に相当する例えば、長さ１８ｃｍ、幅２．５ｃｍ、厚み２ｍｍ程度であり、束ねる対象物、例えばケーブル類の大きさ、長さ等に応じて適宜のサイズのものを用意し、使用することができる。
【００１８】
結束具１０は、ナイロン等の合成樹脂から成る基体部に対して、表面の全面に渡って面ファスナの被係止シート部１１を貼り付けたものであるが、基体部自体にループ係合面から成る素材を採用するようにしてもよい。なお、面ファスナは、フック係合面の面ファスナである係止シートと、ループ係合面の面ファスナである被係止シートとにより構成されている。
【００１９】
本体部２０の中央部には、腕片部３０Ａ、３０Ｂの先端部３１をそれぞれ挿通可能な２つの長方形状の孔部２１Ａ、２１Ｂが直線上に配列されている。なお、これらの孔部２１Ａ、２１Ｂは、連続した１つの孔部とすることもできる。
【００２０】
腕片部３０Ａ、３０Ｂは幅１ｃｍ程度の帯状体であり、裏面には先端部３１から数ｃｍに渡ってフック状の繊維から成り、被係止シート部１１と係止可能な面ファスナである係止シート部３２が取り付けられている。
【００２１】
なお、腕片部３０Ａ、３０Ｂの表面には、前述のように係止シート部３２が係止可能な被係止シート部１１が配置されている。また、被係止シート部１１と係止シート部３２は配置を逆にしてもよく、この場合には、結束具１０の表面全体にフック係合面の係止シート部３２を配置することになる。
【００２２】
実施例１の結束具１０では、一対の腕片部３０Ａ、３０Ｂは同じ長さとしているが、腕片部３０Ａ又は腕片部３０Ｂを他方の腕片部３０Ｂ又は腕片部３０Ａよりも長くするようにしてもよい。
【００２３】
また、腕片部３０Ａ、３０Ｂは区別し易いように、一方の腕片部３０Ａ、３０Ｂの先端部３１のみに判別用の小孔部を形成してもよい。更には、腕片部３０Ａ、３０Ｂの色を変えるようにしてもよく、この場合は、腕片部３０Ａ、３０Ｂの表面側のみの色を変えればよい。
【００２４】
この結束具１０を有線マウスのケーブルＫに対して使用する場合には、先ず図１に示す表面の状態の結束具１０を、図３に示すように腕片部３０Ａで下方にループを作るようにした後に、腕片部３０Ａの先端部３１を裏面側から孔部２１Ａに挿通する。そして、１本のケーブルＫを腕片部３０Aのループ内に通して、腕片部３０Ａの先端部３１を孔部２１Ａから引き出してループを締め付ける。同様に、腕片部３０Ｂの先端部３１を孔部２１Ｂから引き出してループを締め付ける。
【００２５】
このようにして、ケーブルＫに結束具１０を取り付けることができ、たとえ腕片部３０Ａ、３０Ｂの結束を解除したとしても、ケーブルＫから結束具１０が分離することはない。上述のケーブルへの取り付け作業は、腕片部３０Ａ、３０Ｂの何れか一方のみにループを作り、ケーブルＫを締め付けて固定するようにしてもよい。また、ケーブルＫに常時結束具１０を取り付けておく必要がない場合には、この手順は不要である。
【００２６】
次いで、任意のケーブルＫの全長が目的の長さになるように、複数個所を折り畳んだ状態のケーブルＫに対してループを形成し、この輪の中に連続してＳ字状に畳んだ状態のケーブルＫの中央付近を挿通して締め付ける。そして、腕片部３０Ａの裏面側の係止シート部３２を腕片部３０Ａの表面側の被係止シート部１１に巻回するように係止させて、図４の正面図に示すように腕片部３０Ａを結束する。
【００２７】
この際に、ケーブルＫの一端のＫａ側又は他端のＫｂ側の近傍に、図示しないマウス又はノートパソコンと接続するコネクタ部が配置されるように、ケーブルＫを畳むことが好ましい。
【００２８】
このように、図４に示すように任意のケーブル長になるように、腕片部３０ＡによりケーブルＫを結束した状態でマウスを使用することになる。そして、マウスを棚等に収納する際は、束ねていないＫａ側又はＫｂ側のケーブルＫに対して、上述のように連続してＳ字状に折り畳んだ後に、腕片部３０Ａの結束手順と同様に結束することになる。
【００２９】
ケーブルＫの中央付近に対して、腕片部３０Ｂの裏面側の係止シート部３２を腕片部３０Ｂの表面側の被係止シート部１１に巻回するように係止させて、図５に示すように結束する。このようにして、ケーブルＫの全体を腕片部３０Ｂにより結束した状態にして、マウスを棚等に収納する。
【００３０】
マウスを使用する場合には、腕片部３０Ｂの係止シート部３２のみを被係止シート部１１から剥がして、ケーブルＫの一部を開放して、ノートパソコンに接続する。同じ状態でマウスを使用するのであれば、所定の長さに調整済みである図４に示す状態で使用することが可能である。
【００３１】
別の状態でマウスを使用する際には、再度、ケーブル長を任意の長さに調整する必要があるので、腕片部３０Ａの結束を解除して、再度、ケーブル長を調整した後に、腕片部３０ＡによってケーブルＫを束ねた状態にする。
【００３２】
このように結束具１０を用いることで、一方の腕片部３０Ａにより任意のケーブル長になるように束ねた状態を保持し、他方の腕片部３０Ｂによりケーブル全長の束ねた状態を保持することができる。つまり、腕片部３０Ａにより、ノートパソコンとマウスとの間のケーブルＫを束ねた状態を保持し、他方側の腕片部３０Ｂにより、収納用の全長の渡るケーブルＫを束ねた状態を保持することになる。
【００３３】
従って、結束具１０を用いることで従来の結束具のように、全長に渡って束ねたケーブルＫを使用する度に、最適なケーブル長になるように調整する必要がなくなる。
【実施例２】
【００３４】
図６は実施例２の結束具１０’の表面から見た斜視図であり、実施例１の結束具１０と同一の符号は同一の部材を示している。結束具１０’は、本体部２０の両側の辺から互いに異なる方向に腕片部３０Ａ、３０Ｂが延在している。
【００３５】
また、これらの腕片部３０Ａ、３０Ｂは、本体部２０から逆方向に延在し、平行になるように配置されている。そして、腕片部３０Ａ、３０Ｂは、本体部２０から直線上にならないように、ずれた状態で配置されている。
【００３６】
図７は使用状態の説明図であり、２本のケーブルＫ１、Ｋ２に対して、それぞれループを形成する。これらのループは本体部２０を挟んで反対側に形成されることになる。
【００３７】
そして、図８に示すように、折り畳んだケーブルＫ１、Ｋ２の中央付近を腕片部３０Ａ、３０Ｂにより締め付けることにより、ケーブルＫ１、Ｋ２をそれぞれ任意の長さに結束することができる。
【００３８】
２本のケーブルＫ１、Ｋ２は、例えばマウスのケーブルと、ＬＡＮケーブルのように種類の異なるケーブルであり、ノートパソコンを棚等に収納する際に、併せて２本のケーブルＫ１、Ｋ２を１つに纏めて収納することが可能となる。
【００３９】
また、この実施例２の結束具１０’においては、腕片部３０Ａ、３０Ｂが本体部２０から異なる方向に延在しているので、腕片部３０Ａ、３０Ｂにより形成されるループが互いに反対方向に形成され、それぞれでケーブルＫ１、Ｋ２の結束処理を行うことができるので、容易に結束することができる。
【符号の説明】
【００４０】
１０  結束具
１１  被係止シート部
２０  本体部
２１Ａ、２１Ｂ  孔部
３０Ａ、３０Ｂ  腕片部
３１  先端部
３２  係止シート部
【図１】
2019077499.tif 000003
【図２】
2019077499.tif 000004
【図３】
2019077499.tif 000005
【図４】
2019077499.tif 000006
【図５】
2019077499.tif 000007
【図６】
2019077499.tif 000008
【図７】
2019077499.tif 000009
【図８】
2019077499.tif 000010